(57)【要約】【課題】  キーの名称が異なる部分のみをユーザーの要望に応じて交換することができる電子機器を提供する。【解決手段】  キー入力部の各キーが外部に露出するフロントケース１３をキー入力部のキー種類に応じて第１〜第３部分ケース部１５〜１７に分割して、第１〜第３部分ケース部１５〜１７を相互に着脱可能に取り付けてフロントケース１３を構成した。従って、第１〜第３部分ケース部１５〜１７をそれぞれ個別に製作できると共に、各部分ケース部１５〜１７にそれぞれ個別にキーの名称を印刷できる。これにより、ユーザーの要望に応じて第１〜第３部分ケース部１５〜１７を組み合わせてフロントケース１３を容易に製作できるので、生産性が良く、部分ケース部を機種に応じて交換できるので、機種ごとにフロントケース１３を予め製作しておく必要がないため、在庫管理も容易にできる。【選択図】        図６
2007148992.tif 000002
【特許請求の範囲】
【請求項１】
フロントケースと、リアケースと、これで囲われた内部に配置されたキー入力部とを有し、このキー入力部の各キーが前記フロントケースから外部に露出する電子機器において、
前記フロントケースは、前記キー入力部のキー種類に応じて複数の部分ケース部に分割され、この複数の部分ケース部が相互に着脱可能に取り付けられていることを特徴とする電子機器。
【請求項２】
キー入力部を有する第１ケースと、表示部を有する第２ケースとが、ヒンジ部によって回動可能に連結された電子機器において、
前記第１ケースは、フロントケースとリアケースとを有し、これらで囲われた内部に前記キー入力部が配置されると共に、前記キー入力部の各キーが前記フロントケースから外部に露出し、
前記フロントケースが前記キー入力部のキー種類に応じて複数の部分ケース部に分割され、この複数の部分ケース部が相互に着脱可能に取り付けられていることを特徴とする電子機器。
【請求項３】
前記複数の部分ケース部は、第１〜第３部分ケース部からなり、前記第１部分ケース部が、前記キー入力部の手前側に位置する複数のキーに対応する部分と、前記フロントケースの両側部に対応する枠部とを有し、前記第２部分ケース部が前記キー入力部の中間部に位置する複数のキーに対応して前記第１部分ケース部の前記枠部の間に配置され、前記第３部分ケース部が前記キー入力部の奥側に位置する複数のキーに対応して前記第１部分ケース部の前記枠部の間に配置されていることを特徴とする請求項１または２に記載の電子機器。
【請求項４】
前記複数の部分ケース部は、第１〜第３部分ケース部からなり、前記第１部分ケース部が、前記キー入力部の手前側に位置する複数のキーに対応する部分と、前記フロントケースの両側部に対応する枠部とを有し、前記第２部分ケース部が前記キー入力部の手前側に位置する前記複数のキーを除く残りの全てのキーに対応して前記第１部分ケース部の前記枠部の間に配置されると共に、前記キー入力部の奥側に位置する複数のキーに対応する箇所に取付凹部が設けられ、前記第３部分ケース部が前記キー入力部の奥側に位置する前記複数のキーに対応して前記第２部分ケース部の前記取付凹部内に配置されていることを特徴とする請求項１または２に記載の電子機器。
【請求項５】
前記複数の部分ケース部のうち、少なくとも前記キー入力部の機能キーに対応する部分ケース部をこれに隣接する他の部分ケース部側に係脱可能に取り付ける係合手段を備えていることを特徴とする請求項１〜４のいずれかに記載の電子機器。
【請求項６】
前記係合手段は、前記キー入力部の機能キーに対応する前記部分ケース部に設けられた係合突起部と、これに隣接する前記他の部分ケース部側に設けられて前記係合突起部を係脱可能に係止する係止部とを有することを特徴とする請求項５に記載の電子機器。
【請求項７】
前記係合手段は、前記キー入力部の機能キーに対応する前記部分ケース部に設けられた第１磁石と、これに隣接する前記他の部分ケース部側に設けられて前記第１磁石が磁力によって吸着する第２磁石とを有することを特徴とする請求項５に記載の電子機器。
【請求項８】
前記係合手段は、前記キー入力部の機能キーに対応する前記部分ケース部に設けられた係止部と、これに隣接する前記他の部分ケース部側に設けられて前記係止部に出没可能に係合する弾性突起部材とを有することを特徴とする請求項５に記載の電子機器。
【請求項９】
前記キー入力部の機能キーに対応する前記部分ケース部をこれに隣接する前記他の部分ケース部側に対して係脱可能に係止する前記係合手段を、前記リアケースに対してロックするスライド部材を備えていることを特徴とする請求項５〜７のいずれかに記載の電子機器。
【請求項１０】
前記スライド部材には、前記キー入力部の機能キーに対応する前記部分ケース部に設けられた前記第１磁石を磁力によって吸着する前記第２磁石が設けられていることを特徴とする請求項９に記載の電子機器。
【請求項１１】
前記第１磁石は、前記スライド部材に設けられた前記第２磁石が磁力によって吸着する固定磁石と、前記第２磁石が磁力によって反発する解除磁石とを備えていることを特徴とする請求項１０に記載の電子機器。
【請求項１２】
前記キー入力部の機能キーに対応する前記部分ケース部とこれに隣接する前記他の部分ケース部側とを係脱可能に係止する前記係合手段をロックする位置に、前記スライド部材を付勢する付勢部材を備えていることを特徴とする請求項９〜１１のいずれかに記載の電子機器。
【請求項１３】
前記付勢部材の付勢力に抗して前記スライド部材をスライドさせて前記係合手段に対する前記スライド部材のロックを解除する補助解除部材を備えていることを特徴とする請求項１２に記載の電子機器。
【請求項１４】
前記補助解除部材は、前記リアケースに設けられて電池を収納する電池収納部に着脱可能に取り付けられる電池蓋に解除爪を設けた構成で、この解除爪を前記リアケースに設けられたロック解除孔に挿入することにより、前記スライド部材をスライドさせることを特徴とする請求項１３に記載の電子機器。
【請求項１５】
前記キー入力部の機能キーに対応する前記部分ケース部は、前記キー入力部の前記機能キーが挿入するキー挿入孔の大きさおよび形状が機種に応じて異なる複数の種類が用意され、これに伴って前記キー入力部も、その機能キーの大きさおよび形状が前記機種に応じて異なる複数の種類が用意されていることを特徴とする請求項１〜１４のいずれかに記載の電子機器。
【請求項１６】
前記キー入力部の機能キーに対応する前記部分ケース部は、前記キー入力部の前記機能キーが挿入するキー挿入孔の数が機種に応じて異なる複数の種類が用意され、これに伴って前記キー入力部も、その機能キーの数が前記機種に応じて異なる複数の種類が用意されていることを特徴とする請求項１〜１５のいずれかに記載の電子機器。
【発明の詳細な説明】
【技術分野】
【０００１】
この発明は、電子辞書、携帯電話機、ＰＤＡ（パーソナル・デジタル・アシスタント）などの電子機器に関する。
【背景技術】
【０００２】
例えば、電子辞書などの電子機器においては、特許文献１に記載されているように、キー入力部を有する第１ケースと、表示部を有する第２ケースとを、ヒンジ部によって回動可能に連結し、このヒンジ部を中心に第１、第２ケースを相対的に回動させて閉じたときに、第１ケースと第２ケースとが重なり合い、また第１、第２ケースを相対的に回動させて開くと、第１ケースに対して第２ケースが傾斜して起立し、この状態で第２ケースの表示部を見ながら第１ケースのキー入力部を操作するように構成したものがある。
【特許文献１】特開２００４−１３９５５８号
【０００３】
このような特許文献１の電子辞書では、キー入力部が文字キー、カーソルキー、機能キーなどの各種のキーを備えており、これらのキーの操作性を向上させるために、各キーがそのキー機能や使用頻度に応じた種類ごとに区分けされて第１ケースに配列されていると共に、この区分けされたキー種類のうち、特に機能キーにおいては、機種に応じて各キーの名称が異なるため、各キーの名称を機種に応じてそれぞれ別々の第１ケースに印刷している。
【発明の開示】
【発明が解決しようとする課題】
【０００４】
しかしながら、このような従来の電子辞書においては、ユーザーの様々な要望に応えるために、コンテンツ数が大幅に増えているが、キー入力部のキーの数を増やすことができないため、目的の辞書機能を開くまで、何度もキー操作を繰り返す必要があり、キー操作が複雑で、キー操作性が悪いという問題がある。
【０００５】
そこで、このような問題を解消するために、使用者自身がよく使う辞書機能をソフト的にすぐに呼び出せるように、キー入力部の各キーの配置を割り振ることが考えられている。しかし、このような電子辞書では、割り振ったキーの配列に応じて各キーの名称を機種ごとに第１ケースに印刷する必要あり、各キーの名称を変更するためには、第１ケースを全部交換しなければならず、多種少量生産で、多くの機種に応じた個別の第１ケースを多数用意しておかなければならないため、在庫管理が煩雑で面倒であるという問題がある。
【０００６】
この発明が解決しようとする課題は、キーの名称が異なる部分のみをユーザーの要望に応じて交換することができる電子機器を提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
【０００８】
請求項１に記載の発明は、図１〜図５２に示すように、フロントケース（１３、３０）と、リアケース（１４）と、これらで囲われた内部に配置されたキー入力部（４）とを有し、このキー入力部の各キーが前記フロントケースから外部に露出する電子機器において、
前記フロントケースは、前記キー入力部のキー種類に応じて複数の部分ケース部（第１〜第３部分ケース部１５〜１７、３１〜３３、７０、７５）に分割され、この複数の部分ケース部が相互に着脱可能に取り付けられていることを特徴とする電子機器である。
【０００９】
請求項２に記載の発明は、図１〜図５２に示すように、キー入力部（４）を有する第１ケース（１）と、表示部（６）を有する第２ケース（２）とが、ヒンジ部（３）によって回動可能に連結された電子機器において、
前記第１ケースは、フロントケース（１３、３０）とリアケース（１４）とを有し、これらで囲われた内部に前記キー入力部が配置されると共に、前記キー入力部の各キーが前記フロントケースから外部に露出し、前記フロントケースが前記キー入力部のキー種類に応じて複数の部分ケース部（第１〜第３部分ケース部１５〜１７、３１〜３３、７０、７５）に分割され、この複数の部分ケース部が相互に着脱可能に取り付けられていることを特徴とする電子機器である。
【００１０】
請求項３に記載の発明は、図１〜図１２、図４０〜図５２に示すように、前記複数の部分ケース部が、第１〜第３部分ケース部（１５〜１７、７０、７５）からなり、前記第１部分ケース部（１５）が、前記キー入力部（４）の手前側に位置する複数のキー（操作キー群４ａ）に対応する部分（１５ａ）と、前記フロントケース（１３）の両側部に対応する枠部（１５ｂ）とを有し、前記第２部分ケース部（１６）が前記キー入力部の中間部に位置する複数のキー（文字キー群４ｂ）に対応して前記第１部分ケース部の前記枠部の間に配置され、前記第３部分ケース部（１７、７０、７５）が前記キー入力部の奥側に位置する複数のキー（機能キー群４ｃ）に対応して前記第１部分ケース部の前記枠部の間に配置されていることを特徴とする請求項１または２に記載の電子機器である。
【００１１】
請求項４に記載の発明は、図１３〜図３９に示すように、前記複数の部分ケース部が、第１〜第３部分ケース部（３１〜３３）からなり、前記第１部分ケース部（３１）が、前記キー入力部（４）の手前側に位置する複数のキー（操作キー群４ａ）に対応する部分（３１ａ）と、前記フロントケース（３０）の両側部に対応する枠部（３１ｂ）とを有し、前記第２部分ケース部（３２）が前記キー入力部（４）の手前側に位置する前記複数のキー（操作キー群４ａ）を除く残りの全てのキー（文字キー群４ｂおよび機能キー群４ｃ）に対応して前記第１部分ケース部の前記枠部の間に配置されると共に、前記キー入力部の奥側に位置する複数のキー（機能キー群４ｃ）に対応する箇所に取付凹部（３４）が設けられ、前記第３部分ケース（３３）が前記キー入力部の奥側に位置する前記複数のキー（機能キー群４ｃ）に対応して前記第２部分ケースの前記取付凹部内に配置されていることを特徴とする請求項１または２に記載の電子機器である。
【００１２】
請求項５に記載の発明は、図１〜図５２に示すように、前記複数の部分ケース部（１５〜１７、３１〜３３、７０、７５）のうち、少なくとも前記キー入力部（４）の機能キー（機能キー群４ｃ）に対応する部分ケース部（第３部分ケース部１７、３３、７０、７５）を、これに隣接する他の部分ケース部側（第１、第２部分ケース部１５、１６、３１、３２、またはリアケース１４）に係脱可能に取り付ける係合手段（係合突起１９、２０、３６、係合フック２３、３５、係止孔部１８、２４、３７、係止凹部２１、２２、２５、第１、第２磁石５０、５１、弾性突起部２６）を備えていることを特徴とする請求項１〜４のいずれかに記載の電子機器である。
【００１３】
請求項６に記載の発明は、図１〜図８、図１３〜図２４、図４０〜図５２に示すように、前記係合手段が、前記キー入力部（４）の機能キー（機能キー群４ｃ）に対応する前記部分ケース部（第３部分ケース部１７、３３、７０、７５）に設けられた係合突起部（係合突起２０、３６、係合フック２３、３５）と、これに隣接する前記他の部分ケース部側（第１、第２部分ケース部１５、１６、３１、３２、またはリアケース１４）に設けられて前記係合突起部を係脱可能に係止する係止部（係止部１８、２４、２５、３７、係止凹部２１、２２）とを有することを特徴とする請求項５に記載の電子機器である。
【００１４】
請求項７に記載の発明は、図２５〜図３１に示すように、前記係合手段が、前記キー入力部（４）の機能キー（機能キー群４ｃ）に対応する前記部分ケース部（第３部分ケース部３３）に設けられた第１磁石（５０）と、これに隣接する前記他の部分ケース部側（第１、第２部分ケース部１５、１６、３１、３２、またはリアケース１４）側に設けられて前記第１磁石が磁力によって吸着する第２磁石（５１）とを有することを特徴とする請求項５に記載の電子機器である。
【００１５】
請求項８に記載の発明は、図９〜図１２に示すように、前記係合手段が、前記キー入力部（４）の機能キー（機能キー群４ｃ）に対応する前記部分ケース部（第３部分ケース部１７）に設けられた係止部（係止凹部２５）と、これに隣接する前記他の部分ケース部側（第１、第２部分ケース部１５、１６、またはリアケース１４）に設けられて前記係止部に出没可能に係合する弾性突起部材（弾性突起部２６）とを有することを特徴とする請求項５に記載の電子機器である。
【００１６】
請求項９に記載の発明は、図１３〜図３９に示すように、前記キー入力部（４）の機能キー（機能キー群４ｃ）に対応する前記部分ケース部（第３部分ケース部３３）を、これに隣接する前記他の部分ケース部側（第１、第２部分ケース部１５、１６、またはリアケース１４）に対して係脱可能に係止する前記係合手段を、前記リアケース（１４）に対してロックするスライド部材（３８）を備えていることを特徴とする請求項５〜７のいずれかに記載の電子機器である。
【００１７】
請求項１０に記載の発明は、図２５〜図３１に示すように、前記スライド部材（３８）に、前記キー入力部（４）の機能キー（機能キー群４ｃ）に対応する前記部分ケース部（第３部分ケース部３３）に設けられた前記第１磁石（５０）を磁力によって吸着する前記第２磁石（５１）が設けられていることを特徴とする請求項９に記載の電子機器である。
【００１８】
請求項１１に記載の発明は、図２５〜図３１に示すように、前記第１磁石（５０）が、前記スライド部材（３８）に設けられた前記第２磁石（５１）を磁力によって吸着する固定磁石（５２）と、前記第２磁石を磁力によって反発する解除磁石（５３）とを備えていることを特徴とする請求項１０に記載の電子機器である。
【００１９】
請求項１２に記載の発明は、図２２〜図３９に示すように、前記キー入力部（４）の機能キー（機能キー群４ｃ）に対応する前記部分ケース部（第３部分ケース部１７、３３）とこれに隣接する前記他の部分ケース部側（第１、第２部分ケース部１５、１６、３１、３２、またはリアケース１４）とを係脱可能に係止する前記係合手段をロックする位置に、前記スライド部材（３８）を付勢する付勢部材（ばね部材４６）を備えていることを特徴とする請求項９〜１１のいずれかに記載の電子機器である。
【００２０】
請求項１３に記載の発明は、図３２〜図３９に示すように、前記付勢部材（ばね部材４６）の付勢力に抗して前記スライド部材（３８）をスライドさせて前記係合手段に対する前記スライド部材のロックを解除する補助解除部材（６０）を備えていることを特徴とする請求項１２に記載の電子機器である。
【００２１】
請求項１４に記載の発明は、図３２〜図３９に示すように、前記補助解除部材（６０）が、前記リアケース（１４）に設けられて電池（８）を収納する電池収納部（９）に着脱可能に取り付けられる電池蓋（１０）に解除爪（６１）を設けた構成で、この解除爪を前記リアケースに設けられたロック解除孔（６２）に挿入することにより、前記スライド部材（３８）をスライドさせることを特徴とする請求項１３に記載の電子機器である。
【００２２】
請求項１５に記載の発明は、図４０〜図４４に示すように、前記キー入力部（４）の機能キー（機能キー群４ｃ）に対応する前記部分ケース部（第３部分ケース部７０）は、前記キー入力部の前記機能キー（機能キー群４ｃのキートップ７１）が挿入するキー挿入孔（７０ａ〜７０ｃ）の大きさおよび形状が機種に応じて異なる複数の種類が用意され、これに伴って前記キー入力部も、その機能キーの大きさおよび形状が前記機種に応じて異なる複数の種類が用意されていることを特徴とする請求項１〜１４のいずれかに記載の電子機器である。
【００２３】
請求項１６に記載の発明は、図４５〜図５２に示すように、前記キー入力部（４）の機能キー（機能キー群４ｃ）に対応する前記部分ケース部（第３部分ケース部７５）は、前記キー入力部の前記機能キー（機能キー４ｃのキートップ７６ａ、７６ｂ）が挿入するキー挿入孔（７５ａ、７５ｂ）の数が機種に応じて異なる複数の種類が用意され、これに伴って前記キー入力部も、その機能キーの数が前記機種に応じて異なる複数の種類が用意されていることを特徴とする請求項１〜１５のいずれかに記載の電子機器である。
【発明の効果】
【００２４】
請求項１に記載の発明によれば、フロントケースと、リアケースと、これらで囲われた内部に配置されたキー入力部とを有し、このキー入力部の各キーがフロントケースから外部に露出する電子機器において、フロントケースがキー入力部のキー種類に応じて複数の部分ケース部に分割されているので、複数の部分ケース部をそれぞれ個別に製作することができると共に、複数の部分ケース部にそれぞれ個別にキーの名称を印刷することができ、これによりユーザーの要望に応じてキーの名称が機種ごとに異なるフロントケースを容易に製作することができる。
【００２５】
この場合、特に複数の部分ケース部は相互に着脱可能に取り付けられてフロントケースを構成するので、ビスなどの締結部材を用いずに、複数の部分ケース部を簡単に且つ容易に一体化することができる。このため、ユーザーの要望に応じて複数の部分ケース部を組み合わせることができ、これによりフロントケースを容易に構成することができるので、生産性が良いばかりか、キーの名称が機種ごとに異なっても、その異なるキーの名称が表示された部分ケース部を各機種に応じて容易に交換することができる。このため、ユーザーの要望に応じてフロントケースを自由に変えることができるので、多くの機種ごとにそれぞれフロントケースを予め製作しておく必要がなく、在庫管理も容易にできる。
【００２６】
請求項２に記載の発明によれば、キー入力部を有する第１ケースと、表示部を有する第２ケースとが、ヒンジ部によって回動可能に連結された電子機器において、第１ケースが、フロントケースとリアケースとを有し、これらで囲われた内部にキー入力部が配置されると共に、キー入力部の各キーがフロントケースから外部に露出し、このフロントケースがキー入力部のキー種類に応じて複数の部分ケース部に分割され、この複数の部分ケース部が相互に着脱可能に取り付けられているので、キー入力部を有する第１ケースと表示部を有する第２ケースとがヒンジ部によって回動可能に連結された電子機器であっても、請求項１に記載の発明と同様、複数の部分ケース部を個別に製作することができると共に、ユーザーの要望に応じて部分ケース部を組み合わせることができるほか、キーの名称が機種ごとに異なっても、その異なったキーの名称が表示された部分ケースのみを簡単に交換することができるので、生産性が良く、在庫管理も容易にできる。
【００２７】
請求項３に記載の発明によれば、複数の部分ケース部が、第１〜第３部分ケース部からなり、第１部分ケース部が、キー入力部の複数の手前側に位置するキーに対応する部分と、フロントケースの両側部に対応する枠部とを有し、第２部分ケース部がキー入力部の中間部に位置する複数のキーに対応して第１部分ケース部の枠部間に配置され、第３部分ケース部がキー入力部の奥側に位置する複数のキーに対応して第１部分ケース部の枠部間に配置されているので、フロントケースを第１〜第３部分ケース部に分割しても、外観やデザイン性を損なうことがなく、第１〜第３部分ケース部を相互に取り付けることにより、フロントケースを単独に構成することができると共に、ユーザーの要望に応じてキーの名称が異なる部分ケース部を容易に交換することができる。
【００２８】
請求項４に記載の発明によれば、複数の部分ケース部が、第１〜第３部分ケース部からなり、第１部分ケース部が、キー入力部の手前側に位置する複数のキーに対応する部分と、フロントケースの両側部に対応する枠部とを有し、第２部分ケース部がキー入力部の手前側に位置する複数のキーを除く残りの全てキーに対応して第１部分ケース部の枠部間に配置されると共に、キー入力部の奥側に位置する複数のキーに対応する箇所に取付凹部が設けられ、第３部分ケースがキー入力部の奥側に位置する複数のキーに対応して第２部分ケースの取付凹部内に配置されるので、フロントケースを第１〜第３部分ケース部に分割しても、請求項３に記載の発明と同様、外観やデザイン性を損なうことがなく、第１〜第３部分ケース部を相互に取り付けることにより、フロントケースを単独に構成することができると共に、ユーザーの要望に応じてキーの名称が異なる部分ケース部を容易に交換することができる。
【００２９】
請求項５に記載の発明によれば、複数の部分ケース部のうち、少なくともキー入力部の機能キーに対応する部分ケース部をこれに隣接する他の部分ケース部側に係脱可能に取り付ける係合手段を備えていることにより、キー入力部の機能キーに対応する部分ケース部をこれに隣接する他の部分ケース部側に係合手段によって簡単に取り付けることができると共に、キー入力部の機能キーに対応する部分ケース部をこれに隣接する他の部分ケース部側から容易に取り外すことができ、これにより最も変更する可能性の高いキー入力部の機能キーに対応する部分ケース部を簡単に交換することができる。
【００３０】
請求項６に記載の発明によれば、係合手段が、キー入力部の機能キーに対応する部分ケース部に設けられた係合突起部と、これに隣接する他の部分ケース部側に設けられて係合突起部を係脱可能に係止する係止部とを有することにより、キー入力部の機能キーに対応する部分ケース部に設けられた係合突起部を、これに隣接する他の部分ケース部側に設けられた係止部に係合するだけで、係合突起部を係止部に係脱可能に係止させることができると共に、係合突起部を係止部から容易に離脱させることができる。このため、簡単な構造で、最も変更する可能性の高いキー入力部の機能キーに対応する部分ケース部を簡単に交換することができる。
【００３１】
請求項７に記載の発明によれば、係合手段が、キー入力部の機能キーに対応する部分ケース部に設けられた第１磁石と、これに隣接する他の部分ケース部側に設けられて第１磁石が磁力によって吸着する第２磁石とを有することにより、キー入力部の機能キーに対応する部分ケース部に設けられた第１磁石を、これに隣接する他の部分ケース部側に設けられた第２磁石に磁力によって吸着させるだけで、キー入力部の機能キーに対応する部分ケース部をこれに隣接する他の部分ケース部側に取り付けることができると共に、第１磁石と第２磁石との磁力に抗して引き離すことにより、キー入力部の機能キーに対応する部分ケース部をこれに隣接する他の部分ケース部側から容易に取り外すことができる。このため、請求項６に記載の発明と同様、簡単な構造で、最も変更する可能性の高いキー入力部の機能キーに対応する部分ケース部を簡単に交換することができる。
【００３２】
請求項８に記載の発明によれば、係合手段が、キー入力部の機能キーに対応する部分ケース部に設けられた係止部と、これに隣接する他の部分ケース部側に設けられて係止部に出没可能に係合する弾性突起部材とを有していることにより、この弾性突起部材の先端部をキー入力部の機能キーに対応する部分ケース部の係止部に弾力的に係合させるだけで、キー入力部の機能キーに対応する部分ケース部をこれに隣接する他の部分ケース部側に対し着脱可能に取り付けることができると共に、弾性突起部材の先端部を部分ケース部の係止部から離脱させることにより、キー入力部の機能キーに対応する部分ケース部をこれに隣接する他の部分ケース部側から容易に取り外すことができる。これによっても、最も変更する可能性の高いキー入力部の機能キーに対応する部分ケース部を簡単に交換することができる。
【００３３】
請求項９に記載の発明によれば、キー入力部の機能キーに対応する部分ケース部とこれに隣接する他の部分ケース部側とを係脱可能に係止する係合手段をロックするスライド部材を備えていることにより、このスライド部材をスライドさせるだけで、係合手段に対するロックおよびその解除をすることができるので、キー入力部の機能キーに対応する部分ケース部をこれに隣接する他の部分ケース部側に対して簡単に且つ確実に取り付けることができると共に、キー入力部の機能キーに対応する部分ケース部をこれに隣接する他の部分ケース部側から容易に取り外すことができる。このため、最も変更する可能性の高いキー入力部の機能キーに対応する部分ケース部を簡単に交換することができると共に確実に取り付けることができる。
【００３４】
請求項１０に記載の発明によれば、スライド部材に、キー入力部の機能キーに対応する部分ケース部に設けられた第１磁石を磁力によって吸着する第２磁石が設けられていることにより、スライド部材をスライドさせて第２磁石を部分ケース部の第１磁石に対応させると、第１磁石と第２磁石とが相互の磁力によって吸着するので、キー入力部の機能キーに対応する部分ケース部をこれに隣接する他の部分ケース部に対して簡単に取り付けることができ、またスライド部材をスライドさせて第２磁石を部分ケース部の第１磁石から離すと、第１磁石と第２磁石との相互の磁力による吸引力が低下するので、キー入力部の機能キーに対応する部分ケース部をこれに隣接する他の部分ケース部側から容易に取り外すことができる。このため、最も変更する可能性の高いキー入力部の機能キーに対応する部分ケース部を簡単に交換することができる。
【００３５】
請求項１１に記載の発明によれば、第１磁石が、スライド部材に設けられた第２磁石を磁力によって吸着する固定磁石と、第２磁石を磁力によって反発する解除磁石とを備えていることにより、スライド部材をスライドさせて第２磁石を部分ケース部の第１磁石の固定磁石に対応させると、請求項１０に記載の発明と同様、第１磁石の固定磁石と第２磁石とが相互の磁力によって吸着するので、キー入力部の機能キーに対応する部分ケース部をこれに隣接する他の部分ケース部側に対して簡単に取り付けることができる。
【００３６】
また、スライド部材をスライドさせて第２磁石を部分ケース部の第１磁石の固定磁石から離して第１磁石の解除磁石に対応させると、第１磁石の解除磁石と第２磁石とが相互の磁力によって反発し、これによりキー入力部の機能キーに対応する部分ケース部がこれに隣接する他の部分ケース部側に対して浮き上がるので、キー入力部の機能キーに対応する部分ケース部をこれに隣接する他の部分ケース部側から容易に取り外すことができる。このため、最も変更する可能性の高いキー入力部の機能キーに対応する部分ケース部を、より一層、簡単に交換することができる
【００３７】
請求項１２に記載の発明によれば、キー入力部の機能キーに対応する部分ケース部とこれに隣接する他の部分ケース部側とを係脱可能に係止する係合手段をロックする位置に、スライド部材を付勢する付勢部材を備えていることにより、この付勢部材の付勢力に抗してスライド部材をスライドさせることにより、キー入力部の機能キーに対応する部分ケース部とこれに隣接する他の部分ケース部側とを係脱可能に係止する係合手段に対するスライド部材のロックを解除して、キー入力部の機能キーに対応する部分ケース部を簡単に交換することができると共に、部分ケース部を交換した後には、付勢部材の付勢力によってスライド部材がスライドし、新たに装着された部分ケース部の係合手段を自動的にロックするので、キー入力部の機能キーに対応する部分ケース部とこれに隣接する他の部分ケース部側とを確実にロックすることができる。このため、安全性が高く、使い勝手の良いものを得ることができる。
【００３８】
請求項１３に記載の発明によれば、付勢部材の付勢力に抗してスライド部材をスライドさせて係合手段に対するスライド部材のロックを解除する補助解除部材を備えていることにより、キー入力部の機能キーに対応する部分ケース部を交換するときに、ドライバーなどの工具を用いずに、補助解除部材によって簡単にスライド部材をスライドさせて係合手段に対するスライド部材のロックを解除することができる。このため、これによっても、使い勝手の良いものを得ることができる。
【００３９】
請求項１４に記載の発明によれば、補助解除部材が、リアケースに設けられて電池を収納する電池収納部に着脱可能に取り付けられる電池蓋に解除爪を設けた構成で、この解除爪をリアケースに設けられたロック解除孔に挿入することにより、スライド部材をスライドさせるので、ドライバーなどの工具を用いずに、電池収納部から電池蓋を取り外し、この電池蓋に設けられた解除爪をリアケースに設けられたロック解除孔に挿入するだけで、簡単に且つ容易にスライド部材をスライドさせて係合手段に対するスライド部材のロックを解除することができる。このため、いつでも何処でも、キー入力部の機能キーに対応する部分ケース部を交換することができるので、より一層、使い勝手の良いものを得ることができる。
【００４０】
請求項１５に記載の発明によれば、キー入力部の機能キーに対応する部分ケース部は、キー入力部の機能キーが挿入するキー挿入孔の大きさおよび形状が機種に応じて異なる複数の種類が用意され、これに伴ってキー入力部も、その機能キーの大きさおよび形状が機種に応じて異なる複数の種類が用意されていることにより、キー入力部の機能キーに対応する部分ケース部およびキー入力部を、ユーザーが要望する機能の部分ケース部およびキー入力部と交換することができるので、ユーザーの要望に速やかに対応することができる。この場合、特にキー入力部の機能キーの形状をユーザーの好みに応じて変更することができるので、ユーザーの個性に合ったデザインを得ることができ、他の人のものとデザイン的な差別化を図ることができる。
【００４１】
請求項１６に記載の発明によれば、キー入力部の機能キーに対応する部分ケース部は、キー入力部の機能キーが挿入するキー挿入孔の数が機種に応じて異なる複数の種類が用意され、これに伴ってキー入力部も、その機能キーの数が機種に応じて異なる複数の種類が用意されていることにより、請求項１５に記載の発明と同様、キー入力部の機能キーに対応する部分ケース部およびキー入力部を、ユーザーが要望する機能の部分ケース部およびキー入力部と交換することができるので、ユーザーの要望に速やかに対応することができる。
【発明を実施するための最良の形態】
【００４２】
（実施形態１）
以下、図１〜図８を参照して、この発明の電子機器を電子辞書に適用した実施形態１について説明する。
図１はこの発明を適用した電子辞書を開いて使用する状態を示した正面図、図２はその側面図である。
この電子辞書は、図１および図２に示すように、互いに重なり合う第１ケース１と第２ケース２とを備え、これら第１ケース１と第２ケース２とをヒンジ部３によって回動可能に連結し、このヒンジ部３を中心に第１、第２ケース１、２が相対的に回動して開閉する折り畳み式の構成になっている。
【００４３】
第１ケース１は、図１に示すように、全体がほぼ横長の長方形の平板状に形成され、その内部にキー入力部４がその各キーを第２ケース２に対向する面側（図１では表面側）に露出させた状態で設けられた構成になっている。このキー入力部４は、図１および図５に示すように、文字キー、カーソルキー、機能キー（ファンクションキー）などの電子辞書に必要な各種のキーを備えている。この場合、キー入力部４は、図３〜図５に示すように、スイッチ基板５上にゴムシート６を配置し、このゴムシート６にドーム部６ａを各キーに対応させて形成し、このドーム部６ａが押されて弾性変形したときに、スイッチ基板５の固定接点を導通させるように構成されている。
【００４４】
第２ケース２は、図１および図２に示すように、第１ケース１とほぼ同じ形状で同じ大きさに形成され、その内部に表示部７がその表示面を第１ケース１に対向する面側（図１では表面側）に露出させた状態で設けられた構成になっている。この表示部７は、液晶表示素子、ＥＬ（エレクトロ・ルミネッセンス）表示素子などの平面型の表示素子からなり、辞書関連の情報や日付・時刻情報などの各種の情報を電気光学的に表示するように構成されている。
【００４５】
ヒンジ部３は、図１および図２に示すように、第１ケース１の一方の長辺部（図１では上側に位置する長辺部）における中間部分に設けられたほぼ円筒状の第１筒部３ａと、これに対向する第２ケース２の長辺部（図１では下側に位置する長辺部）における両端部に設けられたほぼ円筒状の一対の第２筒部３ｂとを備え、第１ケース１の第１筒部３ａを第２ケース２の一対の第２筒部３ｂ間に配置し、この状態で第１筒部３ａの両端面と一対の第２筒部３ｂの各端面とが回動可能に連結された構成になっている。
【００４６】
この場合、第１ケース１の中間部分に設けられたほぼ円筒状の第１筒部３ａ内には、図３に示すように、電池８を収納する電池収納部９が形成されている。この電池収納部９は、これに対応する第１ケース１の下部側（つまり後述するリアケース１４の下側）に開放され、この開放された部分に細長い平板状の電池蓋１０が着脱可能に取り付けられている。すなわち、この電池蓋１０には、第１ケース１の下部内面、つまり後述するリアケース１４に設けられた係止部９ａに係脱可能に係止される係合突起１０ａが設けられている。
【００４７】
ところで、第１、第２ケース１、２のうち、キー入力部４が設けられた第１ケース１は、図１〜図７に示すように、フロントケース１３とリアケース１４とを備え、このフロントケース１３とリアケース１４との内部にキー入力部４が設けられている。この場合、リアケース１４は、合成樹脂によってほぼ平板状に形成され、その奥側部（図３では右側部）に電池収納部９が設けられるヒンジ部３の第１筒部３ａが一体に設けられている。また、フロントケース１３は、図６および図７に示すように、第１〜第３部分ケース部１５〜１７の３つに分割され、この第１〜第３部分ケース部１５〜１７が互いに着脱可能に取り付けられるように構成されている。
【００４８】
第１部分ケース部１５は、図１〜図８に示すように、第１ケース１の手前側に位置し、キー入力部４の手前側に位置するカーソルキーなどの操作キー群４ａに対応する部分１５ａと、この部分１５ａの両側に設けられて第１ケース１の両側部に対応する枠部１５ｂとを有し、キー入力部４の操作キー群４ａに対応する部分１５ａに複数のキー挿入孔１５ｃが設けられている。この複数のキー挿入孔１５ｃは、図５〜図７に示すように、キー入力部４の操作キー群４ａのカーソルキー、決定キー、シフトキーなどの各キーがそれぞれ第１ケース１の内部から挿入して外部に露出するように構成されている。この場合、操作キー群４ａの各キーには、図示しないが、「決定」、「矢印」（この矢印はカーソルの移動方向およびシフト方向を示す）などが表示されている。
【００４９】
第２部分ケース部１６は、図１〜図８に示すように、第１ケース１の中間部に位置し、キー入力部４の中間部に位置する文字キー群４ｂに対応する横長の平板状に形成されていると共に、図５に示す文字キー群４ｂの各文字キーが挿入するキー挿入孔１６ａが設けられ、この状態で図８に示すように、第１部分ケース部１５の枠部１５ｂ間に配置されて第１部分ケース部１５に着脱可能に取り付けられるように構成されている。なお、この文字キー群４ｂの各キーにも、それぞれ「アルファベット」や「ひらがな」などの文字が表示されている。
【００５０】
この場合、第２部分ケース部１６における手前側に位置する下辺部および両側辺部には、図６および図７に示すように、凹部状、孔部状または凸部状の係止部１８がそれぞれ設けられており、これに対応する第１部分ケース部１５の各辺部における下面には、第２部分ケース部１６の各係止部１８に係合する凸部状、凹部状、または孔部状の係合突起１９が設けられている。これにより、第２部分ケース部１６は、第１部分ケース部１５の枠部１５ｂ間に配置されて、第２部分ケース部１６の各係止部１８が第１部分ケース部１５の各係合突起１９に係脱可能に係合することにより、図８に示すように、第１部分ケース１５に着脱可能に取り付けられるように構成されている。
【００５１】
第３部分ケース部１７は、図１〜図８に示すように、第１ケース１の奥側（図１では上辺側）に位置し、キー入力部４の奥側に位置する機能キー群４ｃに対応する横方向に細長い帯板状に形成されていると共に、図５に示す機能キー群４ｃの各キーが挿入するキー挿入孔１７ａが設けられ、この状態で図３および図４に示すように、第１部分ケース部１５の枠部１５ｂ間に配置されて第１部分ケース部１５と第２部分ケース部１６とに着脱可能に取り付けられるように構成されている。そして、この第３部分ケース部１７の表面には、機能キー群４ｃの各キーに対応して、「国語」、「漢和」、「英和」、「和英」、「百科事典」などのキー機能が表示されている。
【００５２】
この場合、第３部分ケース部１７における両側辺部の内面には、図４、図６〜図８に示すように、係合突起２０がそれぞれ設けられており、これに対応する第１部分ケース部１５の各枠部１５ｂの外面には、第３部分ケース部１７の各係合突起２０が係脱可能に係合する係止凹部２１がそれぞれ設けられている。また、この第３部分ケース部１７の下辺部にも、係合突起２０がそれぞれ設けられており、これに対応する第２部分ケース部１６の上辺部には、第３部分ケース部１７の各係合突起２０が係脱可能に係合する係止部１８がそれぞれ設けられている。
【００５３】
これにより、第３部分ケース部１７は、図６〜図８に示すように、第１部分ケース部１５の両側の枠部１５ｂに跨って配置され、図４に示すように、第３部分ケース部１７の各係合突起２０が第１部分ケース部１５の各係止凹部２１に係脱可能に係合すると共に、図６〜図８に示すように、第２部分ケース部１６の各係止部１８にも係脱可能に係合することにより、第１部分ケース部１５と第２部分ケース部１６に着脱可能に取り付けられ、これによりフロントケース１３を構成する。
【００５４】
また、この第３部分ケース部１７の上辺部には、図３および図７に示すように、係合フック２３が設けられており、これに対応する第１ケース１の第１筒部３ａの縁部、つまり電池収納部９の近傍に位置するリアケース１４の縁部には、第３部分ケース部１７の係合フック２３が係脱可能に係合する凹部状または孔部状の係止部２４がそれぞれ設けられている。これにより、第３部分ケース部１７は、第１部分ケース部１５と第２部分ケース部１６に着脱可能に取り付けられてフロントケース１３を構成した状態で、リアケース１４に取り付けられるときに、第３部分ケース部１７の係合フック２３が電池収納部９の近傍に位置するリアケース１４の係止部２４に係脱可能に係合し、これによりリアケース１４に対しても着脱可能に取り付けられるように構成されている。
【００５５】
このような電子辞書によれば、キー入力部４を有する第１ケース１と、表示部７を有する第２ケース２とが、ヒンジ部３によって回動可能に連結され、第１ケース１が、フロントケース１３とリアケース１４とを有し、これらの内部にキー入力部４が配置され、このキー入力部４の各キーがフロントケース１３から露出し、このフロントケース１３がキー入力部４のキー種類に応じて第１〜第３部分ケース部１５〜１７に分割されているので、第１〜第３部分ケース部１５〜１７をそれぞれ個別に製作することができると共に、第１〜第３部分ケース部１５〜１７のうち、第３部分ケース部１７にそれぞれ個別にキーの名称を印刷することができる。このため、キーの名称が異なっても、その異なるキーの名称が印刷された第３部分ケース部１７をユーザーの要望に応じて組み合わせることにより、フロントケース１３を容易に製作することができる。
【００５６】
また、第１〜第３部分ケース部１５〜１７は相互に着脱可能に取り付けられてフロントケース１３を構成するので、ビスなどの締結部材を用いずに、第１〜第３部分ケース部１５〜１７を簡単に且つ容易に一体化することができる。このため、ユーザーの要望に応じて第１〜第３部分ケース部１５〜１７を組み合わせることができ、これによりフロントケース１３を容易に構成することができるので、生産性が良いばかりか、第１〜第３部分ケース部１５〜１７のうち、特にキーの名称が機種ごとに異なる第３部分ケース部１７を各機種に応じて容易に交換することができ、これによりユーザーの要望に応じてフロントケース１３を自由に変えることができるので、多くの機種ごとにそれぞれフロントケース１３を予め製作しておく必要がないため、在庫管理も容易にできる。
【００５７】
この場合、第１〜第３部分ケース部１５〜１７のうち、第１部分ケース部１５は、キー入力部４の手前側に位置する操作キー群４ａに対応する部分１５ａと、フロントケース１３の両側部に対応する枠部１５ｂとを有し、第２部分ケース部１６はキー入力部４の中間部に位置する文字キー群４ｂに対応して第１部分ケース部１５の枠部１５ｂ間に配置され、第３部分ケース部１７はキー入力部４の奥側に位置する機能キー群４ｃに対応して第１部分ケース部１５の枠部１５ｂ間に配置されるので、フロントケース１３を第１〜第３部分ケース部１５〜１７に分割しても、外観やデザイン性を損なうことがなく、第１〜第３部分ケース部１５〜１７を相互に取り付けることにより、フロントケース１３を単独に構成することができると共に、ユーザーの要望に応じてキーの名称が異なる第３部分ケース部１７を容易に交換することができる。
【００５８】
特に、第１〜第３部分ケース部１５〜１７のうち、特にキー入力部４の機能キー群４ｃに対応する第３部分ケース部１７は、この第３部分ケース部１７に設けられた各係合突起２０と、これに隣接する第１、第２部分ケース部１５、１６に設けられた各係止部１８および各係止凹部２１とによって、隣接する第１、第２部分ケース部１５、１６に着脱可能に取り付けられているので、キー入力部４の機能キー群４ｃに対応する第３部分ケース部１７をこれに隣接する第１、第２部分ケース部１５、１６に対して簡単に取り付けることができると共に、第３部分ケース部１７をこれに隣接する第１、第２部分ケース部１５、１６から容易に取り外すことができる。
【００５９】
すなわち、キー入力部４の機能キー群４ｃに対応する第３部分ケース部１７に設けられた各係合突起２０を、これに隣接する第１、第２部分ケース部１５、１６に設けられた各係止部１８および各係止凹部２１に係合させるだけで、各係合突起２０を各係止凹部２１に係脱可能に係止させることができると共に、各係合突起２０を各係止部１８および各係止凹部２１から容易に離脱させることができる。このため、簡単な構造で、最も変更する可能性の高いキー入力部４の機能キー群４ｃに対応する第３部分ケース部１７をユーザーの要望に応じて簡単に交換することができる。
【００６０】
この場合、第３部分ケース部１７の上辺部には、係合フック２３が設けられており、これに対応する第１ケース１の第１筒部３ａの縁部、つまり電池収納部９の近傍に位置するリアケース１４の縁部には、第３部分ケース部１７の係合フック２３が係脱可能に係合する係止部２４がそれぞれ設けられていることにより、第１〜第３部分ケース１５〜１７を相互に取り付けてフロントケース１３を構成し、このフロントケース１３をリアケース１４に装着するときに、第３部分ケース部１７の係合フック２３がリアケース１４の縁部に設けられた係止部２４に係脱可能に係合し、これにより第３部分ケース部１７をリアケース１４に対しても取り付けることができるので、第３部分ケース部１７が横方向に細長い帯板状に形成されていても、確実に且つ良好にリアケース１４に対しても取り付けることができる。
【００６１】
なお、上記実施形態１では、キー入力部４の機能キー群４ｃに対応する第３部分ケース部１７を、これに隣接する第１、第２部分ケース部１５、１６およびリアケース１４に対して着脱可能に取り付ける係合手段として、第３部分ケース部１７に設けられた係合突起２０および係合フック２３と、第１、第２部分ケース部１５、１６およびリアケース１４に設けられた各係止部１８、２４および各係止凹部２１とを有する場合について述べたが、これに限らず、例えば図９〜図１２に示す変形例のように構成しても良い。
【００６２】
すなわち、この変形例の係合手段は、第３部分ケース部１７の両側内面にそれぞれ設けられた凹部状または孔部状の係止部２５と、これに対応する第１部分ケース部１５またはリアケース１４にそれぞれ設けられた弾性突起部２６とを有し、各弾性突起部２６を第３部分ケース部１７の各係止部２５に係脱可能に係合させて、第３部分ケース部１７を第１、第２部分ケース部１５、１６およびリアケース１４に対して着脱可能に取り付けるように構成しても良い。この場合、弾性突起部２６は、第１部分ケース部１５の各枠部１５ｂの先端部分に設けられていても良いが、この変形例では第３部分ケース部１７の各係止部２５に対応するリアケース１４に設けられている。
【００６３】
また、この弾性突起部２６は、図９および図１０に示すように、第３部分ケース部１７に対応するリアケース１４に固定された固定板２７と、この固定板２７の取付孔に挿入されて先端部が第３部分ケース部１７の係止部２５に係脱可能に係合するピン部材２８と、このピン部材２８に取り付けられてピン部材２８を第３部分ケース部１７の係止部２５に向けて押し出すように付勢するばね部材２９とを備えた構成になっている。
【００６４】
このような係合手段を備えた電子辞書では、リアケース１４に設けられた弾性突起部２６におけるピン部材２８の先端部を、第３部分ケース部１７に設けられた係止部２５に、ばね部材２９のばね力によって弾力的に挿入して係合させるだけで、第３部分ケース部１７を第１、第２部分ケース部１５、１６およびリアケース１４に対し着脱可能に取り付けることができると共に、弾性突起部２６のピン部材２８の先端部をばね部材２９のばね力に抗して第３部分ケース部１７の係止部２５から離脱させることにより、第３部分ケース部１７を第１、第２部分ケース部１５、１６およびリアケース１４から容易に取り外すことができる。このため、実施形態１と同様、最も変更する可能性の高いキー入力部４の機能キー群４ｃに対応する第３部分ケース部１７をユーザーの要望に応じて簡単に交換することができる。
【００６５】
（実施形態２）
次に、図１３〜図２１を参照して、この発明を電子辞書に適用した実施形態２について説明する。なお、図１〜図８に示された実施形態１と同一部分には同一符号を付して説明する。
この電子辞書は、第１ケース１のフロントケース３０が実施形態１と異なる構成で、これ以外は実施形態１とほぼ同じ構成になっている。すなわち、このフロントケース３０は、図１３〜図１５に示すように、第１〜第３部分ケース部３１〜３３の３つに分割され、この第１〜第３部分ケース部３１〜３３が互いに着脱可能に結合されるように構成されている。
【００６６】
第１部分ケース部３１は、図１３〜図１５に示すように、第１ケース１の手前側に位置し、キー入力部４の手前側に位置するカーソルキーなどの操作キー群４ａに対応する部分３１ａと、この部分３１ａの両側に設けられて第１ケース１の両側部に対応する枠部３１ｂとを有し、キー入力部４の操作キー群４ａに対応する部分３１ａに複数のキー挿入孔３１ｃが設けられている。この複数のキー挿入孔３１ｃは、図５に示したように、キー入力部４の操作キー群４ａのカーソルキー、決定キー、シフトキーなどの各キーがそれぞれ第１ケース１の内部から挿入して外部に露出するように構成されている。この場合にも、操作キー４ａの各キーには、「決定」、「矢印」（この矢印はカーソルの移動方向およびシフト方向を示す）などが表示されている。
【００６７】
第２部分ケース部３２は、図１３〜図１５に示すように、キー入力部４の操作キー群４ａを除く残りの全てのキー、つまり文字キー群４ｂおよび機能キー群４ｃに対応する横長の四角い平板状に形成されていると共に、図５に示した文字キー群４ｂおよび機能キー群４ｃの各キーが挿入するキー挿入孔３２ａが設けられているほか、特に機能キー群４ｃに対応する箇所に取付凹部３４が設けられ、この状態で第１部分ケース部３１の枠部３１ｂ間に配置されて第１部分ケース部３１に着脱可能に取り付けられるように構成されている。なお、この文字キー群４ｂの各キーにも、それぞれ「アルファベット」や「ひらがな」などの文字が表示されている。
【００６８】
この場合、第２部分ケース部３２における手前側に位置する下辺部および両側辺部には、実施形態１と同様、凹部状、孔部状または凸部状の係止部１８がそれぞれ設けられており、これに対応する第１部分ケース部３１の各辺部における下面には、第２部分ケース部３２の各係止部１８に係合する凸部状、凹部状または孔部状の係合突起１９が設けられている。これにより、第２部分ケース部３２は、第１部分ケース部３１の枠部３１ｂ間に配置されて、第２部分ケース部３２の各係止部１８に第１部分ケース部３１の各係合突起１９が係脱可能に係合することにより、第１部分ケース３１に着脱可能に取り付けられるように構成されている。
【００６９】
第３部分ケース部３３は、図１３〜図１５に示すように、第１ケース１の奥側（図１３では上辺側）に位置し、キー入力部４の奥側に位置する機能キー群４ｃに対応する横方向に細長い帯板状に形成されていると共に、図５に示した機能キー群４ｃの各キーが挿入するキー挿入孔３３ａが設けられ、この状態で図１３〜図１５に示すように、第２部分ケース部３２の取付凹部３４内に配置されて第２部分ケース部３２に着脱可能に取り付けられるように構成されている。また、この第３部分ケース部３３の表面にも、機能キー群４ｃの各キーに対応して、「英英」、「英和」、「和英」、「古語」、「国語」などのキー機能が表示されている。
【００７０】
この場合、第３部分ケース部３３の下面における上辺側には、図１５、図２０および図２１に示すように、複数の係合フック３５がそれぞれ設けられており、その下辺側には、複数の係合突起３６がそれぞれ設けられている。また、これに対応する第２部分ケース部３２の取付凹部３４内の縁部には、図１４および図１５に示すように、第３部分ケース部３３の係合フック３５および係合突起３６がそれぞれ係脱可能に挿入する孔部状の係止部３７がそれぞれ設けられている。
【００７１】
これにより、第３部分ケース部３３は、図２１に示すように、下辺側（同図では左側）の複数の係合突起３６を第２部分ケース３２の取付凹部３４内の各係止部３７にそれぞれ係合させ、この状態で図２０に示すように上辺側（同図では右側）の複数の係合フック３５を第２部分ケース部３２の取付凹部３４内の各係止部３７にそれぞれ係合させることにより、図１３および図２０に示すように、第２部分ケース部３２の取付凹部３４内に着脱可能に取り付けられるように構成されている。
【００７２】
また、第３部分ケース部３３の各係合フック３５は、図２０に示すように、スライド部材３８によって係脱可能にロックされるように構成されている。このスライド部材３８は、図１７および図１８に示すように、第１ケース１のヒンジ部３における第１筒部３ａ内の電池収納部９の外側部、つまり電池収納部９の近傍に位置するリアケース１４に第３部分ケース部３３の長手方向に沿ってスライド可能に配置されている。すなわち、このスライド部材３８は、図１７および図１８に示すように、第３部分ケース部３３に沿う細長い部材で、第３部分ケース部３３の上辺側の各係合フック３５に対応する箇所、つまり左右両端部および中間部にロック爪３９が設けられていると共に、スライド部材３８の所定箇所に位置規制部４０が設けられた構成になっている。
【００７３】
ロック爪３９は、スライド部材３８がスライドすることにより、図２０に示すように、第３部分ケース部３３の各係合フック３５に接離可能に係合するように構成されている。このロック爪３９は、図１７および図２０に示すように、第３部分ケース部３３の各係合フック３５に対応すると、係合フック３５と第３部分ケース部３３の下面との間に配置されて、係合フック３５の上下方向への移動を阻止し、またスライド部材３８のスライドに伴ってロック爪３９が移動すると、図１８および図２１に示すように、第３部分ケース部３３の各係合フック３５から離れて、係合フック３５のロックを解除するように構成されている。
【００７４】
また、位置規制部４０は、図１７および図１８に示すように、スライド部材３８に設けられた弾性変形部４１と、リアケース１４における電池収納部９の近傍に位置する箇所に設けられた固定突起部４２とを備えている。従って、この位置規制部４０は、スライド部材３８がスライドするときに、スライド部材３８の弾性変形部４１がリアケース１４の固定突起部４２に当接して弾性変形し、この弾性変形部４１がリアケース１４の固定突起部４２を乗り越えることにより、リアケース１４の固定突起部４２がスライド部材３８の弾性変形部４１を係止するように構成されている。これにより、位置規制部４０は、スライド部材３８をロック位置とロック解除位置とに位置規制するように構成されている。
【００７５】
そして、このスライド部材３８は、図１７〜図２１に示すように、電池収納部９の近傍に位置するリアケース１４にスライド可能に配置され、この状態で図１９に示すようにスライド部材３８のほぼ中間部に設けられた治具挿入穴部４３が、リアケース１４に設けられた長孔４４に対応し、このリアケース１４の長孔４４からスライド部材３８の治具挿入穴部４３にピン状の治具（図示せず）を挿入し、このピン状の治具をリアケース１４の長孔４４に沿って移動させることにより、スライド部材３８がスライドするように構成されている。なお、リアケース１４の長孔４４は、電池収納部９に電池蓋１０が装着されると、この電池蓋１０によって覆われるように構成されている。
【００７６】
このような電子辞書によれば、実施形態１と同様の作用効果があるほか、特にキー入力部４の機能キー群４ｃに対応する第３部分ケース部３３に係合フック３５および係合突起３６が設けられ、第２部分ケース部３２の取付凹部３４内の縁部に係合フック３５および係合突起３６が挿入する係止部３７が設けられているので、実施形態１と同様、キー入力部４の機能キー群４ｃに対応する第３部分ケース部３３を第２部分ケース部３２の取付凹部３４内に着脱可能に取り付けることができ、これにより第３部分ケース部３３をユーザーの要望に応じて交換することができる。
【００７７】
すなわち、キー入力部４の機能キー群４ｃに対応する第３部分ケース部３３に設けられた係合フック３５および係合突起３６を、第２部分ケース部３２の取付凹部３４内の縁部に設けられた各係止部３７に係合させるだけで、係合フック３５および係合突起３６を各係止部３７に係脱可能に係止させることができると共に、係合フック３５および係合突起３６を各係止部３７から容易に離脱させることができる。このため、最も変更する可能性の高いキー入力部４の機能キー群４ｃに対応する第３部分ケース部３３をユーザーの要望に応じて簡単に交換することができる。
【００７８】
この場合、特に第２部分ケース部３２の取付凹部３４に装着された第３部分ケース部３３の係合フック３５をロックするスライド部材３８を備えていることにより、このスライド部材３８をスライドさせるだけで、第２部分ケース部３２の係止部３７に係合した第３部分ケース部３３の係合フック３５をリアケース１４に対してロックし、且つそのロック解除をすることができるので、キー入力部４の機能キー群４ｃに対応する第３部分ケース部３３を第２部分ケース部３２およびリアケース１４に対して確実に取り付けることができると共に、第３部分ケース部３３を第２部分ケース部３２およびリアケース１４から容易に取り外すことができる。
【００７９】
これにより、最も変更する可能性の高いキー入力部４の機能キー群４ｃに対応する第３部分ケース部３３を交換することができるので、実施形態１と同様、ユーザーの要望に応じてフロントケース３０を容易に構成することができる。このため、生産性が良いばかりか、第１〜第３部分ケース部３１〜３３のうち、キーの名称が機種ごとに異なっても、その異なるキーの名称が表示された第３部分ケース部３３を各機種に応じて容易に交換することができる。これにより、ユーザーの要望に応じてフロントケース３０を自由に変えることができるので、多くの機種ごとにそれぞれフロントケース３０を予め製作しておく必要がないため、在庫管理も容易にできる。
【００８０】
なお、上記実施形態２では、スライド部材３８が位置規制部４０によって所定位置に位置規制されるように構成した場合について述べたが、これに限らず、例えば図２２〜図２４に示すように、スライド部材３８にばね部材４６を設け、このばね部材４６のばね力によってスライド部材３８のロック爪３９が所定位置、つまり第３部分ケース部３３の係合フック３５を係止する位置にスライド部材３８を付勢するように構成しても良い。
【００８１】
このように構成すれば、第３部分ケース部３３を交換するとき、ピン状の治具（図示せず）によってスライド部材３８をばね部材４６のばね力に抗してスライドさせることにより、第３部分ケース部３３を第２部分ケース３２の取付凹部３４から取り外して交換することができるほか、特に交換した後はピン状の治具をスライド部材３８の治具挿入穴部４３およびリアケース１４の長孔４４から取り出すと、ばね部材４６のばね力によってスライド部材３８が自動的に元の位置に戻り、スライド部材３８のロック爪３９が新たに装着された第３部分ケース部３３の係合フック３５を係止するので、安全性が高く、使い勝手の良いものを得ることができる。
【００８２】
（実施形態３）
次に、図２５〜図３１を参照して、この発明を電子辞書に適用した実施形態３について説明する。この場合には、図１３〜図２４に示された実施形態２およびその変形例と同一部分に同一符号を付して説明する。
この電子辞書は、第１ケース１のフロントケース３０における第３部分ケース部３３と第２部分ケース部３２との係合手段が実施形態２と異なる構成で、これ以外は実施形態２とほぼ同じ構成になっている。この場合にも、フロントケース３０は、図１３〜図１５に示した実施形態２と同様、第１〜第３部分ケース部３１〜３３の３つに分割され、この第１〜第３部分ケース部３１〜３３が互いに着脱可能に取り付けられるように構成されている。
【００８３】
そして、第３部分ケース部３３の下面における上辺側には、図２６〜図２８に示すように、複数の第１磁石５０が設けられており、その下辺側には、実施形態２と同様、複数の係合突起３６が設けられている。この複数の係合突起３６は、実施形態２と同様、第２部分ケース部３２の取付凹部３４内の縁部に設けられた孔部状の係止部３７に挿入して係止されるように構成されている。また、第１ケース１のヒンジ部３における第１筒部３ａ内に設けられた電池収納部９の外側部、つまり電池収納部９の近傍に位置するリアケース１４には、実施形態２と同様、スライド部材３８が第３部分ケース部３３の長手方向に沿ってスライド可能に配置されている。
【００８４】
このスライド部材３８は、その所定箇所つまり両端部および中間部に複数の第２磁石５１が第３部分ケース部３３の第１磁石５０にそれぞれ対応して設けられているほか、実施形態２の変形例と同様、ばね部材４６によって所定位置に付勢されるように構成されている。この場合、第３部分ケース部３３の第１磁石５０は、スライド部材３８の第２磁石５１に相互の磁力によって吸着する固定磁石５２と、スライド部材３８の第２磁石５１に対して相互の磁力によって反発する解除磁石５３とを備えている。この解除磁石５３は、固定磁石５２のＮ極とＳ極とを反転させて配置したものである。
【００８５】
従って、スライド部材３８は、ばね部材４６によってスライド部材３８の第２磁石５１が第３部分ケース部３３の第１磁石５０の固定磁石５２に対応する位置に付勢され、この状態でピン状の治具（図示せず）をリアケース１４の長孔４４からスライド部材３８の治具挿入穴部４３に挿入し、このピン状の治具をばね部材４６のばね力に抗してリアケース１４の長孔４４に沿って移動させると、スライド部材３８がスライドして第２磁石５１が第３部分ケース部３３の第１磁石５０の解除磁石５３に対応するように構成されている。
【００８６】
このような電子辞書によれば、キー入力部４の機能キー群４ｃに対応する第３部分ケース部３３に第１磁石５０および係合突起３６が設けられ、第２部分ケース部３２の取付凹部３４内の縁部に係合突起３６が係合する係止部３７が設けられていると共に、スライド部材３８に第２磁石５１が設けられていることにより、実施形態２と同様、第３部分ケース部３３に設けられた係合突起３６を第２部分ケース部３２の係止部３７に係合させた状態で、第３部分ケース部３３の第１磁石５０の固定磁石５２にスライド部材３８の第２磁石５１を対応させるだけで、第１磁石５０の固定磁石５２と第２磁石５１とがその相互の磁力によって吸着するので、第３部分ケース部３３を第２部分ケース部３２の取付凹部３４内に簡単に取り付けることができる。
【００８７】
また、この電子辞書では、ピン状の治具によってスライド部材３８をばね部材４６のばね力に抗してスライドさせて、スライド部材３８の第２磁石５１を第３部分ケース部３３の第１磁石５０の解除磁石５３に対応させると、第２磁石５１と解除磁石５３とがその相互の磁力によって反発し、これにより第３部分ケース部３３が第２部分ケース部３２の取付凹部３４内に浮き上がるので、簡単に第３部分ケース部３３を第２部分ケース部３２の取付凹部３４内から取り外すことができる。このため、最も変更する可能性の高いキー入力部４の機能キー群４ｃに対応する第３部分ケース部３３を、ユーザーの要望に応じて、実施形態２よりも、簡単に交換することができる。
【００８８】
この場合、特にスライド部材３８がばね部材４６によって所定位置に付勢されているので、第３部分ケース部３３を交換した後にピン状の治具をスライド部材３８の治具挿入穴部４３およびリアケース１４の長孔４４から取り出すと、ばね部材４６のばね力によってスライド部材３８が自動的に元の位置に戻り、スライド部材３８の第２磁石５１が新たに装着された第３部分ケース部３３の第１磁石５０の固定磁石５２に対応して吸着し、これにより第３部分ケース部３３を第２部分ケース部３２の取付凹部３４内に確実に取り付けることができるので、これによっても、安全性が高く、使い勝手の良いものを得ることができる。
【００８９】
なお、上記実施形態３では、第２磁石５１をスライド部材３８に設けた場合について述べたが、これに限らず、実施形態１、２において、第２磁石５１を第２部分ケース部１６、３２に直接設けると共に、第３部分ケース部１７、３３に第１磁石５０を設け、この第１磁石５０と第２磁石５１とを相互の磁力によって吸着させることにより、第３部分ケース部１７、３３を第２部分ケース部１６、３２に対して着脱可能に取り付けるように構成しても良い。この場合には、第１磁石５０は固定磁石５２のみを第３部分ケース部１７、３３に設け、この第３部分ケース部１７、３３を取り外すときに、第１、第２磁石５０、５１をその相互の磁力に抗して引き離すようにすれば良い。
【００９０】
（実施形態４）
次に、図３２〜図３９を参照して、この発明を電子辞書に適用した実施形態４について説明する。この場合にも、図１３〜図２４に示された実施形態２およびその変形例と同一部分に同一符号を付して説明する。
この電子辞書は、第１ケース１のフロントケース３０において、第２部分ケース部３２の取付凹部３４内の係止部３７に係合する第３部分ケース部３３の係合フック３５に対するスライド部材３８のロックを解除する補助解除部材６０を備えた構成で、これ以外は実施形態２およびその変形例とほぼ同じ構成になっている。
【００９１】
この場合にも、フロントケース３０は、図１３〜図１５に示した実施形態２と同様、第１〜第３部分ケース部３１〜３３の３つに分割され、この第１〜第３部分ケース部３１〜３３が互いに着脱可能に取り付けられるように構成されている。また、第３部分ケース部３３の下面における上辺側には、図３３および図３４に示すように、複数の係合フック３５がそれぞれ設けられており、その下辺側には、複数の係合突起３６がそれぞれ設けられている。これに対応する第２部分ケース部３２の取付凹部３４内の縁部には、第３部分ケース部３３の係合フック３５および係合突起３６がそれぞれ係脱可能に挿入する孔部状の係止部３７がそれぞれ設けられている。
【００９２】
これにより、第３部分ケース部３３は、図３５に示すように、下辺側（同図では左側）の複数の係合突起３６を第２部分ケース３２の係止部３７に係合させ、この状態で図３４に示すように上辺側（同図では右側）の複数の係合フック３５を第２部分ケース３２の取付凹部３４内の係止部３７に係合させることにより、第２部分ケース部３２の取付凹部３４内に着脱可能に取り付けられるように構成されている。この場合、第１ケース１のヒンジ部３における第１筒部３ａ内に設けられた電池収納部９の外側部、つまり電池収納部９の近傍に位置するリアケース１４には、実施形態２と同様、スライド部材３８が第３部分ケース部３３の長手方向に沿ってスライド可能に配置されている。
【００９３】
このスライド部材３８は、実施形態２およびその変形例と同様、第３部分ケース部３３に沿う細長い部材で、第３部分ケース部３３の上辺側の各係合フック３５に対応する箇所、つまり左右両端部および中間部にロック爪３９が設けられ、ばね部材４６によって所定位置に付勢されるように構成されている。この場合、ロック爪３９は、実施形態２と同様、スライド部材３８がスライドすることにより、第３部分ケース部３３の各係合フック３５に接離可能に係合するように構成されている。また、このロック爪３９の端面には、図３７および図３９に示すように、ガイド傾斜部３９ａがそれぞれ設けられている。
【００９４】
ところで、補助解除部材６０は、図３２に示すように、第１ケース１のリアケース１４に設けられた電池収納部９を開閉可能に塞ぐ電池蓋１０の一側部に複数の解除爪６１をスライド部材３８の各ロック爪３９に対応させて設け、この解除爪６１の先端部に図３７および図３９に示すように傾斜部６１ａをそれぞれ設けた構成になっている。この場合、リアケース１４には、図３２に示すように、スライド部材３８の各ロック爪３９に対応してロック解除孔６２がそれぞれ設けられている。
【００９５】
これにより、補助解除部材６０は、図３２に示すように、電池収納部９から電池蓋１２を取り外し、この電池蓋１２の各解除爪６１をリアケース１４に設けられた各ロック解除孔６２に挿入すると、図３６〜図３９に示すように、解除爪６１のガイド傾斜部６１ａがスライド部材３８の各ロック爪３９に設けられたガイド傾斜部３９ａに当接して互いにガイド傾斜部６１ａ、３９ａに沿って摺動することにより、ロック爪３９が解除爪６１で押されてばね部材４６のばね力に抗してスライド部材３８をスライドさせ、これによりロック爪３９による第３部分ケース部３３の係合フック３５のロックを解除するように構成されている。
【００９６】
このような電子辞書によれば、実施形態２と同様、キー入力部４の機能キー群４ｃに対応する第３部分ケース部３３に設けられた係合フック３５および係合突起３６を、第２部分ケース部３２の取付凹部３４内の縁部に設けられた各係止部３７に係合させ、この状態で第３部分ケース部３３の係合フック３５をロックするスライド部材３８をスライドさせるだけで、第３部分ケース部３３を第２部分ケース部３２の取付凹部３４内に簡単に且つ確実に取り付けることができると共に、第３部分ケース部３３の係合フック３５に対するスライド部材３８のロックを解除して、第３部分ケース部３３を第２部分ケース部３２から容易に取り外すことができる。このため、これによっても、最も変更する可能性の高いキー入力部４の機能キー群４ｃに対応する第３部分ケース部３３をユーザーの要望に応じて簡単に交換することができる。
【００９７】
この場合、特にスライド部材３８をばね部材４６のばね力に抗してスライドさせてスライド部材３８のロック爪３９による第３部分ケース部３３の係合フック３５のロックを解除する補助解除部材６０を備えているので、キー入力部４の機能キー群４ｃに対応する第３部分ケース部３３を交換するときに、ドライバーなどの工具を用いずに、補助解除部材６０によって簡単にスライド部材３８をスライドさせてロック爪３９によるロックを解除することができる。
【００９８】
すなわち、この補助解除部材６０は、リアケース１４に設けられて電池８を収納する電池収納部９に着脱可能に取り付けられる電池蓋１０に複数の解除爪６１を設け、この解除爪６１をリアケース１４に設けられたロック解除孔６２に挿入することにより、スライド部材３８をスライドさせるので、ドライバーなどの工具を用いずに、電池収納部９から電池蓋１０を取り外し、この電池蓋１０に設けられた解除爪６１をリアケース１４のロック解除孔６２に挿入するだけで、簡単に且つ容易にスライド部材３８をスライドさせてロック爪３９による第３部分ケース部３３の係合フック３５のロックを解除することができる。このため、いつでも何処でも、キー入力部４の機能キー群４ｃに対応する第３部分ケース部３３を簡単に交換することができるので、より一層、使い勝手の良いものを得ることができる。
【００９９】
なお、上記実施形態４では、キー入力部４の機能キー群４ｃに対応する第３部分ケース部３３を、これに隣接する第２部分ケース部３２の取付凹部３４内に着脱可能に取り付ける係合手段として、第３部分ケース部３３に設けられた係合突起３６および係合フック３５と、第２部分ケース部３２の取付凹部３４内の縁部に設けられた各係止部３７とを有する場合について述べたが、これに限らず、例えば実施形態３と同様、第１、第２磁石５０、５１によって第３部分ケース３３を第２部分ケース部３２の取付凹部３４内に着脱可能に取り付ける構成にも適用することができる。
【０１００】
（実施形態５）
次に、図４０〜図４４を参照して、この発明を電子辞書に適用した実施形態５について説明する。この場合には、図１〜図８に示された実施形態１と同一部分に同一符号を付して説明する。
この電子辞書は、実施形態１の第１ケース１のフロントケース１３における第３部分ケース部７０およびキー入力部４のキートップ７１が機種に応じて異なる複数の種類が用意された構成で、これ以外は実施形態１とほぼ同じ構成になっている。
【０１０１】
この場合、フロントケース１３は、実施形態１と同様、第１〜第３部分ケース部１５、１６、７０の３つに分割され、この第１〜第３部分ケース部１５、１６、７０が互いに着脱可能に取り付けられるように構成されている。そして、第１〜第３部分ケース部１５、１６、７０のうち、特に第３部分ケース部７０は、図４２〜図４４に示すように、３種類が用意されている。すなわち、この第３部分ケース部７０は、キー入力部４の機能キー群４ｃの各キーが挿入するキー挿入孔７０ａ〜７０ｃの大きさおよび形状が機種に応じて異なっている。
【０１０２】
例えば、３種類のうち、１種類目の第３部分ケース部７０は、図４２に示すように、複数のキー挿入孔７０ａが上下の幅の狭い細長い長方形状に形成されており、２種類目の第３部分ケース部７０は、図４３に示すように、複数のキー挿入孔７０ｂが１種類目よりも幅の広い四角形状に形成され、３種類目の第３部分ケース部７０は、図４４に示すように、複数のキー挿入孔７０ｃがほぼ楕円形状に形成されている。この場合、１種類目の第３部分ケース部７０の表面には、機能キー群４ｃの各キーに対応して、「国語」、「漢和」、「英和」、「和英」、「百科事典」などのキー機能が表示されている。なお、２種類目および３種類目の各第３部分ケース部７０の表面には、キー機能は表示されていない。
【０１０３】
また、キー入力部４は、実施形態１と同様、スイッチ基板５上にゴムシート６を配置し、このゴムシート６にドーム部６ａを各キーに対応させて形成し、このドーム部６ａが弾性変形してスイッチ基板５の固定接点を導通させるように構成されている。このキー入力部４は、図４１に示すように、ゴムシート６の各ドーム部６ａ上に長方形状のキー取付部６ｂがそれぞれ形成され、このキー取付部６ｂにキートップ７１がそれぞれ取り付けられるように構成されている。この場合、キー入力部４の機能キー群４ｃに対応するキートップ７１は、第３部分ケース部７０の各種のキー挿入孔７０ａ〜７０ｃに応じて３種類が用意されている。
【０１０４】
例えば、３種類のキートップ７１のうち、１種類目のキートップ７１ａは、図４２に示すように、１種類目の第３部分ケース部７０のキー挿入孔７０ａに対応する細長い長方形状に形成されており、２種類目のキートップ７１ｂは、図４３に示すように、２種類目の第３部分ケース部７０のキー挿入孔７０ｂに対応する幅広の四角形状に形成されている。また、３種類目のキートップ７１ｃは、図４４に示すように、３種類目の第３部分ケース部７０のキー挿入孔７０ｃに対応するほぼ楕円形状に形成されている。この場合、１種類目のキートップ７１ａには、キー機能は表示されていないが、２種類目および３種類目の各キートップ７１ｂ、７１ｃには、「国語」、「漢和」、「英和」、「和英」、「百科事典」などのキー機能がそれぞれ表示されている。
【０１０５】
このような電子辞書によれば、キー入力部４の機能キー群４ｃに対応する第３部分ケース部７０は、キー入力部４の機能キー群４ｃの各キートップ７１が挿入するキー挿入孔７０ａ〜７０ｃの大きさおよび形状が機種に応じて異なる複数の種類が用意され、これに伴ってキー入力部４も、その機能キー郡４ｃの各キートップ７１の大きさおよび形状が機種に応じて異なる複数の種類が用意されていることにより、キー入力部４の機能キー群４ｃに対応する第３部分ケース部７０およびキー入力部４のキートップ７１をユーザが要望する機能の第３部分ケース部７０およびキー入力部４と交換することができるので、ユーザの要望に速やかに対応することができる。この場合、特にキー入力部４の機能キーの形状をユーザーの好みに応じて変更することができるので、ユーザーの個性に合ったデザインを得ることができ、他の人のものとデザイン的な差別化を図ることができる。
【０１０６】
（実施形態６）
次に、図４５〜図５２を参照して、この発明を電子辞書に適用した実施形態６について説明する。この場合にも、図１〜図８に示された実施形態１と同一部分に同一符号を付して説明する。
この電子辞書は、実施形態１の第１ケース１のフロントケース１３における第３部分ケース部７５およびキー入力部４のキートップ７６が機種に応じて異なる複数の種類が用意された構成で、これ以外は実施形態１とほぼ同じ構成になっている。この場合、フロントケース１３は、実施形態１と同様、第１〜第３部分ケース部１５、１６、７５の３つに分割され、この第１〜第３部分ケース部１５、１６、７５が互いに着脱可能に取り付けられるように構成されている。
【０１０７】
この第１〜第３部分ケース部１５、１６、７５のうち、第３部分ケース部７５は、図４７および図５１に示すように、２種類が用意されている。すなわち、この第３部分ケース部７５は、キー入力部４の機能キー群４ｃの各キーが挿入するキー挿入孔７５ａ、７５ｂの数が機種に応じて異なっている。例えば、２種類のうち、１種類目の第３部分ケース部７５は、図４７に示すように、複数のキー挿入孔７５ａが細長い長方形状に形成されており、２種類目の第３部分ケース部７５は、図５１に示すように、多数のキー挿入孔７５ｂが円形状に形成されている。
【０１０８】
また、キー入力部４は、図５に示した実施形態１と同様、スイッチ基板５上にゴムシート６を配置し、このゴムシート６にドーム部６ａを各キーに対応させて形成し、このドーム部６ａが弾性変形してスイッチ基板５の固定接点を導通させるように構成されている。このキー入力部４は、ゴムシート６の各ドーム部６ａ上にキー取付部６ｂが形成され、このキー取付部６ｂにキートップ７６がそれぞれ取り付けられるように構成されている。この場合、キー入力部４の機能キー群４ｃの各キー取付部６ｂは、図４７および図５１に示すように、円柱状に多数形成されている。
【０１０９】
そして、キー入力部４の機能キー群４ｃに対応するキートップ７６は、第３部分ケース部７０のキー挿入孔７５ａ、７５ｂの数に応じて２種類が用意されている。例えば、２種類のキートップ７６のうち、１種類目のキートップ７６ａは、図４７に示すように、１種類目の第３部分ケース部７５のキー挿入孔７５ａに対応する細長い長方形状に形成されており、２種類目のキートップ７６ｂは、図５１に示すように、１枚のキーシート７７に２種類目の第３部分ケース部７５のキー挿入孔７５ｂにそれぞれ対応する円柱部７７ａを形成した構成になっている。
【０１１０】
この場合、１種類目のキートップ７６ａは、図４８に示すように、キー入力部４の機能キー群４ｃに対応するゴムシート６の２つのキー取付部６ｂに跨って取り付けられている。このときには、キー操作時における荷重が２つのキー取付部６ｂに均一に加わるように、キートップ７６ｂとキー取付部６ｂとの間に荷重調整板（図示せず）が配置されている。また、２種類目のキートップ７６ｂは、図５１に示すように、一枚のキーシート７７に形成された円柱部７７ａがキー入力部４の機能キー群４ｃに対応するゴムシート６の各キー取付部６ｂにそれぞれ対応して配置されている。なお、２種類の第３部分ケース部７５の各表面には、機能キー群４ｃの各キーに対応して、「国語」、「漢和」、「英和」、「和英」、「百科事典」などのキー機能がそれぞれ表示されている。
【０１１１】
ところで、このキー入力部４には、機能キー群４ｃのキー数に応じてキー機能を切り替えるための切替スイッチ部７８を備えている。すなわち、この切替スイッチ７８は、図４７〜図５２に示すように、機能キー群４ｃに対応するゴムシート６に設けられたドーム部７８ａと、１種類目の第３部分ケース部７５に設けられてドーム部７８ａを押圧する押圧突起部７９と、２種類目の第３部分ケース部７５に設けられてドーム部７８ａを押圧しない非押圧凹部８０とで構成されている。
【０１１２】
従って、切替スイッチ７８は、図４７に示すように、細長い長方形のキー挿入孔７５ａが複数形成された第３部分ケース部７５が装着されたときに、図４９に示すように、その第３部分ケース部７５に設けられた押圧突起部７９が、ゴムシート６に設けられたドーム部７８ａを押圧して変形させ、切替スイッチ７８をオン状態にすることにより、第３部分ケース部７５のキー挿入孔７５ａの数に対応するモードに切り替わるように構成されている。
【０１１３】
また、この切替スイッチ７８は、図５１に示すように、円形状のキー挿入孔７５ｂが多数形成された第３部分ケース部７５が装着されたときに、図５２に示すように、その第３部分ケース部７５に設けられた非押圧凹部８０に、機能キー群４ｃに対応するゴムシート６に設けられたドーム部７８ａが挿入して変形せず、切替スイッチ７８をオフ状態にすることにより、第３部分ケース部７５のキー挿入孔７５ａの数に対応するモードに切り替わるように構成されている。
【０１１４】
このような電子辞書によれば、キー入力部４の機能キー群４ｃに対応する第３部分ケース部７５は、キー入力部４の機能キー群４ｃの各キートップ７６が挿入するキー挿入孔７５ａ、７５ｂの数が機種に応じて異なる複数の種類が用意され、これに伴ってキー入力部４も、その機能キー郡４ｃの各キートップ７６の数が機種に応じて異なる複数の種類が用意されていることにより、キー入力部４の機能キー群４ｃに対応する第３部分ケース部７５およびキー入力部４のキートップ７６をユーザが要望する機能の第３部分ケース部７５およびキー入力部４と交換することができるので、ユーザの要望に速やかに対応することができる。
【０１１５】
なお、上記実施形態５、６では、第３部分ケース部７０、７５が組み込まれたフロントケース１３が実施形態１と同様に構成されている場合について述べたが、これに限らず、実施形態２〜４と同様、第１〜第３部分ケース部３１〜３３からなるフロンとケース３０の第３部分ケース部３３にも、実施形態５、６の第３部分ケース部７０、７５を適用することができる。
【０１１６】
また、上記実施形態１〜６およびその各変形例では、折り畳み式の電子辞書に適用した場合について述べたが、これに限らず、例えば１つのケースにキー入力部と表示部とを設けた非折り畳み式の電子辞書にも適用することができる。
さらに、上記実施形態１〜６およびその各変形例では、電子辞書に適用した場合について述べたが、これに限らず、携帯電話機、ノート型パソコン、ＰＤＡ（パーソナル・デジタル・アシスタント）などの各種の電子機器に広く適用することができる。
【図面の簡単な説明】
【０１１７】
【図１】この発明を適用した電子辞書を開いて使用する状態を示した正面図である。（実施形態１）
【図２】図１の側面図である。
【図３】図１のＡ−Ａ矢視における拡大断面図である。
【図４】図１のＢ−Ｂ矢視における拡大断面図である。
【図５】図１のキー入力部のゴムシートを示した正面図である。
【図６】図１のフロントケースを第１〜第３部分ケース部に分解した正面図である。
【図７】図６の裏面図である。
【図８】図６において第１、第２部分ケースのみを相互に取り付けた状態の一部分解した正面図である。
【図９】実施形態１の変形例を示した電子辞書の要部を示した正面図である。
【図１０】図９のＣ−Ｃ矢視における拡大断面図である。
【図１１】図９のＤ−Ｄ矢視における拡大断面図である。
【図１２】図９のフロントケースの第１〜第３部分ケース部のうち、第１、第２部分ケースのみを相互に取り付けた状態の一部分解した正面図である。
【図１３】この発明を適用した電子辞書を開いて使用する状態を示した正面図である。（実施形態２）
【図１４】図１３のフロントケースを第１〜第３部分ケース部に分解した正面図である。
【図１５】図１４の裏面図である。
【図１６】図１３の第１ケースにおいて電池蓋を取り外した裏面図である。
【図１７】図１６の電池収納部付近に配置されたスライド部材のロック位置を示した裏面図である。
【図１８】図１７のスライド部材をスライドさせてロック解除位置に移動した状態を示した図である。
【図１９】図１６の要部を拡大して示した裏面図である。
【図２０】図１７のＥ−Ｅ矢視における拡大断面図である。
【図２１】図１８のＦ−Ｆ矢視における拡大断面図である。
【図２２】実施形態２の変形例において電池蓋を取り外した第１ケースの裏面図である。
【図２３】図２２においてスライド部材のロック位置を示した裏面図である。
【図２４】図２３のスライド部材をスライドさせてロック解除位置に移動した状態を示した図である。
【図２５】この発明を適用した電子辞書の第１ケースにおいて電池蓋を取り外した裏面図である。（実施形態３）
【図２６】図２５における第３部分ケース部とスライド部材とのロック位置における対応関係を示した図である。
【図２７】図２６における第３部分ケース部とスライド部材とのロック解除位置における対応関係を示した図である。
【図２８】図２７のスライド部材が元の位置に復帰した状態における第３部分ケース部とスライド部材との対応関係を示した図である。
【図２９】図２５の要部を拡大して示した裏面図である。
【図３０】図２６のＧ−Ｇ矢視における拡大断面図である。
【図３１】図２７のＨ−Ｈ矢視における拡大断面図である。
【図３２】この発明を適用した電子辞書において電池蓋を開いた第１ケースの裏面図である。（実施形態４）
【図３３】図３２において電池収納部付近に配置されたスライド部材を示した裏面図である。
【図３４】図３３のＩ−Ｉ矢視においてスライド部材が第３部分ケース部をロックした状態を示した拡大断面図である。
【図３５】図３４の状態でスライド部材による第３部分ケース部のロックが解除された状態を示した拡大断面図である。
【図３６】図３２のＪ−Ｊ矢視において電池蓋の解除爪をリアケースに差し込む状態を示した要部の拡大断面図である。
【図３７】図３２のＫ−Ｋ矢視において電池蓋の解除爪がスライド部材のロック爪に当接した状態を示した要部の拡大断面図である。
【図３８】図３２のＪ−Ｊ矢視において電池蓋の解除爪がスライド部材のロック爪を移動させた状態を示した要部の拡大断面図である。
【図３９】図３２のＫ−Ｋ矢視において電池蓋の解除爪がスライド部材のロック爪を移動させた状態を示した要部の拡大断面図である。
【図４０】この発明を適用した電子辞書を開いて使用する状態を示した正面図である。（実施形態５）
【図４１】図４０のＬ−Ｌ矢視における拡大断面図である。
【図４２】図４０において第３部分ケース部とこれに対応するキートップとを分解した正面図である。
【図４３】図４０において第３部分ケース部とこれに対応するキートップとの大きさおよび形状が異なる場合の分解正面図である。
【図４４】図４０において第３部分ケース部とこれに対応するキートップとの大きさおよび形状が更に異なる場合の分解正面図である。
【図４５】この発明を適用した電子辞書を開いて使用する状態を示した正面図である。（実施形態６）
【図４６】図４５のＭ−Ｍ矢視における拡大断面図である。
【図４７】図４５において第３部分ケース部とこれに対応するキートップとを分解した正面図である。
【図４８】図４７のキートップとキー入力部のキー取付部との対応関係を示した拡大正面図である。
【図４９】図４５のＮ−Ｎ矢視において図４７に対応する切替スイッチを示した要部の拡大断面図である。
【図５０】図４５のＭ−Ｍ矢視においてキー挿入孔の数が異なる第３部分ケース部とこれに対応するキートップとを第３部分ケース部を取り付けた拡大断面図である。
【図５１】図４５においてキー挿入孔の数が異なる第３部分ケース部とこれに対応するキートップとを分解した正面図である。
【図５２】図４５のＮ−Ｎ矢視において図５１に対応する切替スイッチを示した要部の拡大断面図である。
【符号の説明】
【０１１８】
１  第１ケース
２  第２ケース
３  ヒンジ部
４  キー入力部
４ａ  操作キー群
４ｂ  文字キー群
４ｃ  機能キー群
６  表示部
９  電池収納部
１０  電池蓋
１３、３０  フロントケース
１４  リアケース
１５、３１  第１部分ケース部
１６、３２  第２部分ケース部
１７、３３、７０、７５  第３部分ケース部
１５ｂ、３１ｂ  枠部
１７ａ、３３ａ、７０ａ〜７０ｃ、７５ａ、７５ｂ  キー挿入孔
１８、２４、２５、３７  係止部
２０、３６  係合突起
２１  係止凹部
２３、３５  係合フック
２６  弾性突起部
３４  取付凹部
３８  スライド部材
３９  ロック爪
４６  ばね部材
５０  第１磁石
５１  第２磁石
５２  固定磁石
５３  解除磁石
６０  補助解除部材
６１  解除爪
６２  ロック解除孔
７１、７１ａ〜７１ｃ、７６、７６ａ、７６ｂ  キートップ
【図１】
2007148992.tif 000003
【図２】
2007148992.tif 000004
【図３】
2007148992.tif 000005
【図４】
2007148992.tif 000006
【図５】
2007148992.tif 000007
【図６】
2007148992.tif 000008
【図７】
2007148992.tif 000009
【図８】
2007148992.tif 000010
【図９】
2007148992.tif 000011
【図１０】
2007148992.tif 000012
【図１１】
2007148992.tif 000013
【図１２】
2007148992.tif 000014
【図１３】
2007148992.tif 000015
【図１４】
2007148992.tif 000016
【図１５】
2007148992.tif 000017
【図１６】
2007148992.tif 000018
【図１７】
2007148992.tif 000019
【図１８】
2007148992.tif 000020
【図１９】
2007148992.tif 000021
【図２０】
2007148992.tif 000022
【図２１】
2007148992.tif 000023
【図２２】
2007148992.tif 000024
【図２３】
2007148992.tif 000025
【図２４】
2007148992.tif 000026
【図２５】
2007148992.tif 000027
【図２６】
2007148992.tif 000028
【図２７】
2007148992.tif 000029
【図２８】
2007148992.tif 000030
【図２９】
2007148992.tif 000031
【図３０】
2007148992.tif 000032
【図３１】
2007148992.tif 000033
【図３２】
2007148992.tif 000034
【図３３】
2007148992.tif 000035
【図３４】
2007148992.tif 000036
【図３５】
2007148992.tif 000037
【図３６】
2007148992.tif 000038
【図３７】
2007148992.tif 000039
【図３８】
2007148992.tif 000040
【図３９】
2007148992.tif 000041
【図４０】
2007148992.tif 000042
【図４１】
2007148992.tif 000043
【図４２】
2007148992.tif 000044
【図４３】
2007148992.tif 000045
【図４４】
2007148992.tif 000046
【図４５】
2007148992.tif 000047
【図４６】
2007148992.tif 000048
【図４７】
2007148992.tif 000049
【図４８】
2007148992.tif 000050
【図４９】
2007148992.tif 000051
【図５０】
2007148992.tif 000052
【図５１】
2007148992.tif 000053
【図５２】
2007148992.tif 000054